(57)【要約】  【課題】ふくらみのある美しい「ふき」を有する裏地付き和服を提供すること。  【解決手段】表地と裏地からなる袷着物において、袖あるいは裾廻りの表地と裏地の間に表地および裏地のタテ糸、ヨコ糸とは異なる角度で配置した厚さが０．１ｍｍ以上０．７ｍｍ以下の織物の芯地を入れたことを特徴とする裏地付き和服。【選択図】図２
2005154946.tif 000002
【特許請求の範囲】
【請求項１】
表地と裏地を有する裏地付き和服であって、袖あるいは裾廻りの表地と裏地の間に、表地および裏地のタテ糸、ヨコ糸とは異なる角度で織物の芯地を配置したことを特徴とする裏地付き和服。
【請求項２】
芯地の厚さが０．１ｍｍ以上０．７ｍｍ以下であることを特徴とする請求項１に記載の裏地付き和服。
【発明の詳細な説明】
【技術分野】
【０００１】
本発明は、表地と裏地を有する裏地付き和服、特に袷着物であって、表布よりも裏布を少し表にのぞかせた「ふき」と呼ばれる部分を美しく仕立てることのできる機構を有し、可縫性、仕立て映え、着用快適性に優れた裏地付き和服に関する。
【背景技術】
【０００２】
従来、裏地付き和服の袖や裾には、裏地と同じ生地で作った細幅の芯地を縫い込み、裏地を表地より０．３ｃｍ程度表に見せるように縫い「ふき」を作るか、別の生地で「ふき」を作り表地と裏地の間に挟み込んで仕立てるかどちらかの方法で「ふき」を作っていた。通常、和装品の生地は３７ｃｍ内外の生地幅、長さ約１３ｍの生地を１反とよび、この１反の生地（反物）で１着分の和装品（着物）を仕立てる。着物の裾廻りの長さは大人用で１３０〜１６０ｃｍあり、裏地と同じ生地で芯地を裁断して裾に入れる場合は、反物のタテ方向（長さ方向）で採取するか、反物のヨコ方向で何枚か採取して縫い合わせなければならなかった。また、「ふき」の部分を別の生地で作り、裾や袖に挟み込んで縫い合わせる方法は、手間がかかる上に、縫代が数多く重なり美観を損なうことが多かった。
【０００３】
一方、従来の技術として、裾部および衿下（竪褄）部分に細幅状の芯地を介在させた裏地を使ったふき付き着物（特許文献１参照）、バイヤス布で作った別布のふきを挟み込んで仕立てた両面兼用着物（特許文献２参照）、着物の周縁部分に生地線に対して４５°に傾斜した斜縞彩色模様を付した八掛地（特許文献３参照）などが提案されている。
【特許文献１】実用新案登録第３０５９０９２号公報
【特許文献２】実開昭６１−８２９１３号公報
【特許文献３】実開昭５９−１００８０８号公報
【発明の開示】
【発明が解決しようとする課題】
【０００４】
しかしながら、特許文献１の裾部および衿下（竪褄）部分に細幅状の芯地を介在させた裏地を使ったふき付き着物は、「ふき」の幅が１〜１．５ｃｍと広く、また衿下（竪褄）部分にも「ふき」を設置して古典的かつ個性的なものに仕上げているため、現在普及している一般的な裏地付き和服には適用することができなかった。また、芯地としてフェルトや不織布を採用しているため、洗濯耐久性に劣るものであった。
【０００５】
一方、特許文献２のバイヤス布で作った別布の「ふき」を挟み込んで仕立てた両面兼用着物は、「ふき」の部分を別布で作り、縫い合わせる必要があるため、効率も悪いし、裾部の縫代がかさばり美観を損なうものであった。特に、和服地はヨコ方向に伸びる生地が多く、裾を幅方向に何カ所も縫い合わせると縫目が波打ち、外観が悪かった。
【０００６】
さらに、特許文献３の着物周縁部分に４５°に傾斜した斜縞彩色模様を付した八掛地は、美しく優れた興趣性が得られるだけで、「ふき」部分を美しく仕立てるための工夫はなく、「ふき」は扁平な仕上がりであった。
【０００７】
そこで、本発明の目的はかかる従来技術の欠点を改良し、縫製工場のみならず家庭においても、今まで以上にふくらみのある美しい「ふき」を持つ和装品を提供することにある。
【課題を解決するための手段】
【０００８】
上記目的を達成するため、本発明の裏地付き和服は以下の構成からなる。
【０００９】
すなわち、本発明の裏地付き和服の一態様は、表地と裏地からなる袷着物であって、袖や裾廻りの表地と裏地の間に表地および裏地のタテ糸、ヨコ糸とは異なる角度で織物の芯地を配置することを特徴とするものである。さらに、本発明の裏地付き和服の裾廻りに入れた芯地の厚さが０．１ｍｍ以上０．７ｍｍ以下の生地を使用していることを特徴とするものである。
【発明の効果】
【００１０】
本発明により、表地と裏地からなる和服、特に袷着物において、表布よりも裏布を少し表にのぞかせた「ふき」と呼ばれる部分を美しく仕立てることができ、可縫性、仕立て映え、着用快適性に優れた裏地付き和服を得ることができる。
【発明を実施するための最良の形態】
【００１１】
以下、図面に示す一形態を参照しつつ、本発明の裏地付き和服を詳細に説明する。
【００１２】
図１は、本発明の裏地付き和服の一態様を示す正面図であり、図２は、本発明の裏地付き和服の裏地に隠れた縫目部分を示す断面図である。図３は、図１および図２に示した裏地付き和服の裾部分の拡大断面図である。図４は、本発明の裏地付き和服の使用織物の生地方向を示した図である。
【００１３】
本発明の裏地付き和服は、袖や裾廻りの表地と裏地の間に、表地および裏地のタテ糸、ヨコ糸とは異なる角度で織物の芯地を配置することにより、表布よりも裏布を少し表にのぞかせた「ふき」と呼ばれる図１中２の部分を効率よく、かつ美しく仕立てることができる。なお、ここで「表地および裏地のタテ糸、ヨコ糸とは異なる角度で織物の芯地を配置する」とは、織物である表地および裏地のタテ糸、ヨコ糸と織物である芯地のタテ糸、ヨコ糸の方向が一致せず、角度を有するように芯地が配置されていることをいう。この角度（表地および裏地のタテ糸と芯地のタテ糸とのなす角度）としては、０度を超え９０度未満の範囲で可能であるが、１５度〜７５度とすることが好ましく、３０度〜６０度がより好ましい。
【００１４】
本発明の裏地付き和服に美しい「ふき」を設置する方法としては、例えば、裾に入れる場合は図２に示すように、裾に芯地３を縫着する方法が挙げられる。本発明において使用する芯地を構成する繊維としては、合成繊維、天然繊維、あるいは長繊維、短繊維の区別なく使用することができ、特に限定されるものではないが、好ましくはポリエステル系繊維、ポリアミド系繊維、アクリル系繊維のいずれかの合成繊維を５０重量％以上含む繊維から構成されているものがよい。より好ましくはポリエステル系繊維を用いるのが、寸法安定性、易取り扱い性の面で良い。また、芯地としては織物を用い、裏地の残り布を使用することもできるが、裏地とは別の生地を用いても良い。別の生地を予め約５ｃｍ幅のテープ状にカットしたものを用いると、作業効率の点で効果がある。
【００１５】
芯地としてテープ状のものを用いる場合、テープ幅は３〜７ｃｍの範囲とするのが作業面、美観の上で好ましい。３ｃｍ以上とすると、芯地を入れる効果が大きく、また「ふき」の部分に芯地の裁ち端が出ることもない。反対にテープ幅が７ｃｍ以下であると、縫目からはみ出す芯地の幅が広くなりすぎることにより芯地の端が「ふき」の中で動き、作業性、美観を損なうこともない。特に、洗濯した場合、芯地の端が動きやすくなって型くずれの原因となることがない。
【００１６】
図４は本発明の裏地付き和服の使用織物の生地方向を示した図であるが図４中の↑（矢印６）は、生地のタテ方向（タテ糸方向）を示し、和服本体の表地４、裏地５はタテ方向を和服の長さ方向になるように縫製する。すなわち表地４と裏地５のタテ糸、ヨコ糸の方向を一致させる。一方、芯地３は生地のタテ糸方向がテープ長手方向と１５度程度から７５度程度傾いた状態（矢印６’）のテープ状とし、この芯地３を図３に示すように表地４と裏地５の間に縫着し、通常の縫製方法において裏地付き和服とする。このように構成することによって、表地および裏地のタテ糸、ヨコ糸とは異なる角度で織物の芯地を配置することができる。
【００１７】
また、本発明に使用する芯地の厚さは特に限定されないが、０．１ｍｍ以上０．７ｍｍ以下の生地を使用することが美観、可縫性の点で好ましい。芯地の厚さが０．１ｍｍ以上であると、芯地を挿入した効果がよりわかりやすくなり、立体感のある「ふき」となる。また、０．７ｍｍ以下の生地を芯地に使用すると、「ふき」部分が和服全体より強調されすぎることのない、伝統的で一般的な裏地付き和服とすることができる。該芯地の厚さは、上述した範囲内で表地や裏地の厚さに合わせて選択することが好ましい。すなわち、表地や裏地が厚い生地の場合は芯地も厚いものを使用し、薄い場合は芯地も薄い生地を使用することが着物全体のバランスを崩さず表地や裏地との一体感のある和服を得ることができより好ましい。
【００１８】
一般的に裾に「ふき」を作る場合、表地の丈より裏地の丈を約０．５〜１ｃｍ長く裁ち揃え、次に表地の裾と裏地の裾を中表に合わせて裾を縫い、表に返すと裏地が表地より長くなり「ふき」が出来上がる。芯地を入れる場合は、裾を縫う時に、裏地の上に芯地をのせて３枚一度に縫うと、「ふき」の中に芯地が入る。本発明の裏地付き和服においても、同様にして芯地を入れることができる。
【実施例】
【００１９】
以下、本発明を実施例および比較例を挙げてさらに具体的に説明するが、本発明はこれに限定されるものではない。実施例および比較例において用いた裏地付き和服の品質評価は次の方法を用いた。
【００２０】
（測定方法）
（１）厚さ測定
生地の厚さの測定はＪＩＳ Ｌ １０１８「メリヤス生地試験方法」に準じて、測定ヶ所を変更して５回測定し平均値を求めた。
（２）審美性、「ふき」の状態評価
出来上がった裏地付き和服の全体の審美性および「ふき」の状態について官能評価を実施した。その評価基準を表１に示す。評価点数の合計点数を総合評価とし、総合評価が大きいものほど優れていることを示す。
（３）可縫性評価
裾縫い工程での工程数により評価した。1)表地と裏地の裾を合わせて縫う、2)表に返して「ふき」を作る、という２工程を基本工程とした。その評価基準を表１に併せて示した。
（４）耐洗濯性評価
和服を洗濯ネットに入れ、全自動洗濯機の弱条件で１回洗濯後の「ふき」部分の外観変化について官能評価を実施した。
【００２１】
【表１】
2005154946.tif 000003
【００２２】
（実施例１）
ポリエステル繊維１００％の着物地（表地）と裏地を使い、次の方法で裏地付き和服に縫製した。芯地として、ポリエステル繊維１００％、厚さ０．２５ｍｍの生地で作った５ｃｍ幅の４５度バイヤステープ（タテ糸方向に対して４５度の角度を付けて幅５ｃｍに裁断したもの）を準備した。
（１）左右前後表身頃を背縫い、脇線で縫い合わせる。
（２）左右表前身頃に左右表衽布を縫いつける。
（３）裏地を（１）および（２）の表地と同様に縫製する。
（４）裏地が表地より０．３ｃｍ長く仕上がるように、また、表地と裏地のバランスをとりながら合わせて脇縫代を仮縫いする。
（５）裾縫代にバイヤステープをのせて表地、裏地、裾芯３枚を同時に縫い付け、表に返し、袖や衿を付けて通常の裏地付き和服を縫製する。
【００２３】
こうして得られた和服の審美性（外観）、「ふき」の状態、可縫性を評価した結果を表２に示す。
【００２４】
次にこの和服を洗濯ネットに入れ全自動洗濯機の弱条件で洗濯、乾燥させて外観変化を評価した結果を表２に示した。
【００２５】
（実施例２）
ポリエステル繊維１００％の着物地（表地）と裏地を使い、次の方法で裏地付き和服に縫製した。芯地としては、和服に使用した裏地（厚さ０．１３ｍｍ）をタテ糸に対して３０度の傾斜を付けて４ｃｍ幅に裁断したものを準備した。
（１）左右前後表身頃を背縫い、脇線で縫い合わせる。
（２）左右表前身頃に左右表衽布を縫いつける。
（３）裏地を（１）および（２）の表地と同様に縫製する。
（４）裏地が表地より０．３ｃｍ長く仕上がるように、また、表地と裏地のバランスをとりながら合わせて脇縫代を仮縫いする。
（５）裏地が表地より０．２ｃｍ長く仕上がるように、袖口に芯地をのせて表地、裏地、芯地３枚を同時に縫い付けて「ふき」のある袖を縫製する。
（６）裾にも芯地をのせて袖口同様に縫製し、「ふき」のある通常の裏地付き和服を縫製する。
【００２６】
こうして得られた和服の審美性（外観）、「ふき」の状態、可縫性を評価した結果を表２に示す。
【００２７】
次にこの和服を洗濯ネットに入れ全自動洗濯機の弱条件で洗濯、乾燥させて外観変化を評価した結果を表２に示した。
【００２８】
（比較例１）
ポリエステル繊維１００％の着物地（表地）と裏地を使い、次の方法で裏地付き和服に縫製した。芯地としては、和服に使用した裏地（厚さ０．１３ｍｍ）をヨコ糸に対して平行に３ｃｍ幅に７枚裁断したものを準備した。
（１）左右前後表身頃を背縫い、脇線で縫い合わせる。
（２）左右表前身頃に左右表衽布を縫いつける。
（３）裏地を（１）および（２）の表地と同様に縫製する。
（４）裏地が表地より０．３ｃｍ長く仕上がるように、また、表地と裏地のバランスをとりながら合わせて脇縫代を仮縫いする。
（５）裁断した芯地５枚を縫い合わせて１枚の裾用の芯地を作った。
（６）裏地が表地より０．２ｃｍ長く仕上がるように、袖口に芯地をのせて表地、裏地、芯地３枚を同時に縫い付けて「ふき」のある袖を縫製する。
（７）裾にも芯地をのせて袖口同様に縫製し、「ふき」のある通常の裏地付き和服を縫製する。
【００２９】
こうして得られた和服の審美性（外観）、「ふき」の状態、可縫性を評価した結果を表２に示す。
【００３０】
次にこの和服を洗濯ネットに入れ全自動洗濯機の弱条件で洗濯、乾燥させて外観変化を評価した結果を表２に示した。
【００３１】
（比較例２）
ポリエステル繊維１００％の表地と裏地を使い、次の方法で裏地付き和服に縫製した。別途、「ふき」布として、５ｃｍ幅のポリエステル繊維１００％の生地を準備した。
（１）左右前後表身頃を背縫い、脇線で縫い合わせる。
（２）左右表前身頃に左右表衽布を縫いつける。
（３）裏地を（１）および（２）の表地と同様に縫製する。
（４）表地と裏地は差寸を付けずにバランスをとりながら合わせて脇縫代を仮縫いする。「ふき」布は５ｃｍ幅の裏地を二つに折り、仮縫いしておく。
（５）表地と裏地の裾縫代に（４）で作った「ふき」布をはさみこみ、裾を縫う。その後、袖や衿を付けて通常の裏地付き和服を縫製する。
【００３２】
こうして得られた和服の審美性（外観）、「ふき」の状態、可縫性を評価した結果を表２に示す。
【００３３】
次にこの和服を洗濯ネットに入れ全自動洗濯機の弱条件で洗濯、乾燥させて外観変化を評価した結果を表２に示した。
【００３４】
（比較例３）
ポリエステル繊維１００％の着物地と裏地を使い、次の方法で裏地付き和服に縫製した。芯地として、ポリエステル繊維１００％、厚さ１．５ｍｍの不織布で作った３ｃｍ幅のテープを準備した。
（１）左右前後表身頃を背縫い、脇線で縫い合わせる。
（２）左右表前身頃に左右表衽布を縫いつける。
（３）裏地を（１）および（２）の表地と同様に縫製する。
（４）表地と裏地のバランスをとりながら合わせて脇縫代を仮縫いする。
（５）裾縫代に芯地をのせて表地、裏地、裾芯３枚を同時に縫い付け、表に返し、袖や衿を付けて通常の裏地付き和服を縫製する。
【００３５】
こうして得られた和服の審美性（外観）、「ふき」の状態、可縫性を評価した結果を表２に示す。
【００３６】
次にこの和服を洗濯ネットに入れ全自動洗濯機の弱条件で洗濯、乾燥させて外観変化を評価した結果を表２に示した。
【００３７】
すなわち、本発明の裏地付き和服は、総合評価が高いものになった。
【００３８】
【表２】
2005154946.tif 000004
【産業上の利用可能性】
【００３９】
本発明は、一般的な表地と裏地からなる着物において、裾や袖口に配した「ふき」部分を美しく仕立てることができる。
【図面の簡単な説明】
【００４０】
【図１】本発明の裏地付き和服の一態様を示す正面図である。
【図２】本発明の裏地付き和服の裏地に隠れた縫目部分の一態様を示す断面図である。
【図３】図１および図２に示した裏地付き和服の裾部分の拡大断面図である。
【図４】本発明の裏地付き和服の使用織物の生地方向を示した図である。
【符号の説明】
【００４１】
１      ：身頃
２      ：ふき
３      ：芯地
４      ：表地
５      ：裏地
６、６′：タテ方向（タテ糸）
【図１】
2005154946.tif 000005
【図２】
2005154946.tif 000006
【図３】
2005154946.tif 000007
【図４】
2005154946.tif 000008